(57)【要約】  スプレーディスペンサと、吹き付け及び発泡に適した洗浄組成物と、を有する洗浄製品であって、組成物がスプレーディスペンサ内に収容され、組成物が、ｉ）組成物の約５〜約１５重量％の界面活性剤系と、ｉｉ）式Ｉのグリコールエーテル：Ｒ１Ｏ（Ｒ２Ｏ）ｎＲ３、式ＩＩのグリコールエーテル：Ｒ４Ｏ（Ｒ５Ｏ）ｎＲ６、及びこれらの混合物からなる群から選択されるグリコールエーテル溶媒と（式中、Ｒ１は、直鎖若しくは分岐鎖のＣ４、Ｃ５、若しくはＣ６アルキル、又は置換若しくは非置換フェニルであり、Ｒ２は、エチル又はイソプロピルであり、Ｒ３は、水素又はメチルであり、ｎは、１、２、又は３であり、Ｒ４は、ｎ−プロピル又はイソプロピルであり、Ｒ５は、イソプロピルであり、Ｒ６は、水素又はメチルであり、ｎは、１、２、又は３である）、特定の環状ジアミンと、を含む。【特許請求の範囲】
【請求項１】
スプレーディスペンサと、吹き付け及び発泡に好適な洗浄組成物と、を含む洗浄製品であって、前記組成物が前記スプレーディスペンサ内に収容され、前記組成物が、
ｉ）前記組成物の約５〜約１５重量％の界面活性剤系と、
ｉｉ）式Ｉのグリコールエーテル：Ｒ１Ｏ（Ｒ２Ｏ）ｎＲ３、式ＩＩのグリコールエーテル：Ｒ４Ｏ（Ｒ５Ｏ）ｎＲ６、及びこれらの混合物からなる群から選択されるグリコールエーテル溶媒と、
（式中、
Ｒ１は、直鎖若しくは分岐鎖のＣ４、Ｃ５、若しくはＣ６アルキル、又は置換若しくは非置換フェニルであり、Ｒ２は、エチル又はイソプロピルであり、Ｒ３は、水素又はメチルであり、ｎは、１、２、又は３であり、
Ｒ４は、ｎ−プロピル又はイソプロピルであり、Ｒ５は、イソプロピルであり、Ｒ６は、水素又はメチルであり、ｎは、１、２、又は３である）
ｉｉｉ）式（Ｉ）の環状ジアミンと、
【化１】
2018532854.tif 000006
（式中、Ｒのうちの２つは、ＮＨ２、（Ｃ１〜Ｃ４）ＮＨ２、及びこれらの混合物からなる群から選択され、残りのＲは、独立して、Ｈ、１〜１０個の炭素原子を有する直鎖又は分枝鎖のアルキル又はアルケニルから選択される）
を含む、洗浄製品。
【請求項２】
前記組成物は、２０℃の蒸留水中１０％溶液中で測定される、８超、好ましくは１０．５〜１１．５のｐＨと、ｐＨ１０での組成物１００ｍＬ当たりのＮａＯＨのグラム数で表される、約０．１〜約１の予備アルカリ度と、を有する、請求項１に記載の製品。
【請求項３】
前記組成物は、ｐＨ１０での組成物１００ｍＬ当たりのＮａＯＨのグラム数で表される、約０．１〜約０．５の予備アルカリ度を有する、請求項１又は２に記載の製品。
【請求項４】
前記界面活性剤系及び前記グリコールエーテル溶媒は、約５：１〜約１：１の重量比で存在する、請求項１〜３のいずれか一項に記載の製品。
【請求項５】
前記グリコールエーテル溶媒及び前記環状ジアミンは、約２０：１〜約１：１、好ましくは１５：１〜５：１の重量比で存在する、請求項１〜４のいずれか一項に記載の製品。
【請求項６】
前記界面活性剤系は、アニオン性界面活性剤及び補助界面活性剤を含む、請求項１〜５のいずれか一項に記載の製品。
【請求項７】
前記アニオン性界面活性剤は、サルフェート界面活性剤、好ましくはアルキルエトキシル化サルフェート界面活性剤、より好ましくは約２〜約５の平均エトキシ化度を有するアルキルエトキシレートサルフェートを含む、請求項６に記載の製品。
【請求項８】
前記サルフェート界面活性剤は、分岐状短鎖アルキルサルフェートを含み、好ましくは、前記分岐状短鎖アルキルサルフェートは、ヘキシルサルフェート、好ましくは２−エチルヘキシルサルフェートである、請求項６に記載の製品。
【請求項９】
前記界面活性剤系は、非サルフェート化分岐状短鎖アルコールを含む、請求項８に記載の製品。
【請求項１０】
前記アニオン性界面活性剤及び前記補助界面活性剤は、約４：１〜約１：１の重量比で存在し、前記補助界面活性剤は、両性界面活性剤、双性イオン界面活性剤、及びこれらの混合物からなる群から選択される、請求項９に記載の製品。
【請求項１１】
前記組成物は、前記組成物の約１重量％〜約７重量％の前記グリコールエーテル溶媒を含む、請求項１〜１０のいずれか一項に記載の製品。
【請求項１２】
前記グリコールエーテル溶媒は、ジプロピレングリコールｎ−ブチルエーテル、プロピレングリコールｎ−ブチルエーテル、及びこれらの混合物からなる群から選択される、請求項１〜１１のいずれか一項に記載の製品。
【請求項１３】
前記残りのＲは、Ｈ、ＣＨ３、及びこれらの混合物から選択され、好ましくは、２つのＲは、ＮＨ２、（Ｃ１〜Ｃ４）ＮＨ２、及びこれらの混合物からなる群から選択され、１位及び３位に存在する、請求項１〜１２のいずれか一項に記載の製品。
【請求項１４】
前記環状ジアミンは、１，３−ビス（メチルアミン）−シクロヘキサン、２−メチルシクロヘキサン−１，３−ジアミン、４−メチルシクロヘキサン−１，３−ジアミン、及びこれらの混合物からなる群から選択され、好ましくは、前記環状ジアミンは、２−メチルシクロヘキサン−１，３−ジアミン、４−メチルシクロヘキサン−１，３−ジアミン、及びこれらの混合物からなる群から選択される、請求項１〜１３のいずれか一項に記載の製品。
【請求項１５】
前記組成物は、２０℃の蒸留水中１０％溶液中で測定される、１０〜１１．５のｐＨと、ｐＨ１０での組成物１００ｍＬ当たりのＮａＯＨのグラム数で表される、０．１〜０．３の予備アルカリ度と、を有し、前記組成物は、
ｉ）前記組成物の４〜１０重量％のアルキルエトキシレートサルフェートであって、好ましくは約３の平均エトキシ化度を有する、アルキルエトキシレートサルフェートと、
ｉｉ）前記組成物の１〜５重量％のアミンオキシド界面活性剤と、
ｉｉｉ）前記組成物の３重量％〜８重量％のグリコールエーテル溶媒、好ましくはジプロピレングリコールｎ−ブチルエーテルと、
ｉｖ）前記組成物の０．１重量％〜２重量％の環状ジアミンであって、好ましくは２−メチルシクロヘキサン−１，３−ジアミン、４−メチルシクロヘキサン−１，３−ジアミン、及びこれらの混合物からなる群から選択される、環状ジアミンと、
を含む、請求項１に記載の製品。
【請求項１６】
前記組成物は、２０℃の蒸留水中１０％溶液中で測定される、１０〜１１．５のｐＨと、ｐＨ１０での組成物１００ｍＬ当たりのＮａＯＨのグラム数で表される、０．１〜０．３の予備アルカリ度と、を有し、前記組成物は、
ｉ）前記組成物の４〜１０重量％の分岐状短鎖サルフェート、好ましくは２−エチルヘキシルサルフェートと、
ｉｉ）前記組成物の１〜５重量％のアミンオキシド界面活性剤と、
ｉｉｉ）前記組成物の３重量％〜８重量％のグリコールエーテル溶媒、好ましくはジプロピレングリコールｎ−ブチルエーテルと、
ｉｖ）前記組成物の０．１重量％〜２重量％の環状ジアミンであって、好ましくは２−メチルシクロヘキサン−１，３−ジアミン、４−メチルシクロヘキサン−１，３−ジアミン、及びこれらの混合物からなる群から選択される、環状ジアミンと、
を含む、請求項１に記載の製品。
【請求項１７】
前記組成物は、アルカノールアミン、好ましくはモノエタノールアミンを更に含む、請求項１〜１６のいずれか一項に記載の製品。
【請求項１８】
前記組成物は、Ｃ２〜Ｃ４アルコール、Ｃ２〜Ｃ４ポリオール、ポリアルキレングリコール、及びこれらの混合物からなる群から選択される更なる溶媒を更に含む、請求項１〜１７のいずれか一項に記載の製品。
【請求項１９】
前記組成物は、本明細書に記載の方法を用いて測定される、２０℃で約１〜約２０ｍＰａ  ｓの高剪断粘度（１０，０００ｓ−１で）を有する、請求項１〜１８のいずれか一項に記載の製品。
【請求項２０】
前記組成物は、本明細書に記載の方法を用いて測定される、２０℃で約１０：１〜約１．５：１の低剪断粘度（１００ｓ−１で）：高剪断粘度の比を有する、請求項１９に記載の製品。
【請求項２１】
前記組成物は、レオロジー調整剤、好ましくはキサンタンガムを含む、請求項１〜２０のいずれか一項に記載の製品。
【請求項２２】
請求項１〜２１のいずれか一項に記載の製品を使用して汚れた食器を洗浄する方法であって、
ａ）任意選択的に、前記汚れた食器を予め湿らす工程と、
ｂ）前記洗浄組成物を前記汚れた食器上に吹き付ける工程と、
ｃ）任意選択的に、ある期間にわたって、水を前記汚れた食器に加える工程と、
ｄ）任意選択的に、前記食器をこすり洗いする工程と、
ｅ）前記食器をすすぐ工程と、
を含む、方法。
【発明の詳細な説明】
【技術分野】
【０００１】
本発明は、洗浄製品に関する。具体的には、本発明は、スプレーディスペンサ及び洗浄組成物を有する洗浄製品に関する。本製品により、食器洗浄をより簡単かつより早く行うことができる。
【背景技術】
【０００２】
昔からの手洗い食器洗浄方法として、流しに水を溜め、食器洗剤を入れて石鹸水をつくり、そこに汚れた物品を入れてこすり洗いし、すすいで、洗った物品から残っている汚れを落とし、石鹸水の泡を落とすということが行われている。この場合汚れた食器はまとめて一度に洗うのが一般的であった。しかし、現在ではまとめるのではなく、使い終わるたびに物品を洗いたいというユーザーもいる。したがって、この場合一度に洗う物品は１つ又は少量となる。この場合の食器洗浄は、通常流しに水を溜めるのではなく、水道水を出した状態で行う。食器洗浄は迅速かつユーザーの手間を最小限にして行われるべきである。
【０００３】
現在、水道水を出しながら食器洗浄を行うことを好むユーザーも多い。この場合、ユーザーはスポンジのような食器洗浄器具を使う。ユーザーはスポンジに洗剤をつける。ここで、洗う食器が少ない場合、必要以上の洗剤を出してしまう虞がある。そうすると食器や食器洗浄道具のすすぎに手間がかかる。また、スポンジで水と洗剤を混ぜることが求められる場合がある。その場合は洗浄に時間がかかってしまう。
【０００４】
どのように使用したかにより、食器に付いた汚れの種類や度合いは大幅に異なる。食器は若干汚れている場合もあれば、焼けた、調理された、焦げたような、落としにくい汚れが付着している場合もある。汚れの種類に応じて様々な製品を用意することも考えられる。しかしこれはユーザーが大量の食器洗剤を揃えることになるため、あまり現実的ではない。
【０００５】
水道水を出しながら行われる、軽く汚れた物品の洗浄は、迅速かつユーザーの手間を最小限にして行われるべきである。理想を言えば、こすり洗いする手間が省ける又は低減できるよう、洗剤をつけて即、そそぎができればよい。
【０００６】
物品に落としにくい汚れが付いた場合には、洗剤はこびりついた汚れを溶かして食器洗浄を楽にすることが望ましい。ここで溶解時間が短いことが望ましい。汚れがかなり強くこびりついている場合、洗う前に食器を浸け置きすることが一般的である。浸け置き時間も短いことが望ましい。
【０００７】
ユーザーには、得てしてスプレー型製品が好まれる傾向がある。食器の手洗い洗浄に使用されるスプレー型組成物は、迅速に消えにくい泡を吹き付けやすく、すすぎやすく、それでありながら様々な汚れを十分に落とすことが求められる。吹き付けの際に、周囲に拡散しにくい又はしないような組成物とすることが求められる。周囲への拡散は無駄な使用量につながるだけではなく、吸引のリスクも伴い得る。
【発明の概要】
【発明が解決しようとする課題】
【０００８】
本発明の目的は、特に洗浄にかかる時間と手間を減らすことで、食器の手洗いのような洗浄処理を容易にすることである。
【課題を解決するための手段】
【０００９】
本発明の第１の態様に従って、洗浄製品が提供される。本製品はあらゆる表面の洗浄に対して好適であるが、手洗い用製品であることが好ましい。本製品は、スプレーディスペンサ及び洗浄組成物を有する。本組成物は、吹き付けに好適な発泡組成物である。本組成物は、スプレーディスペンサ内に収容される。本発明の洗浄製品に対して用いられる組成物は、本明細書内において、「本発明の組成物」と言及されることもある。
【００１０】
本明細書において「スプレーディスペンサ」とは、上記組成物を収容する筐体であり、組成物を吹き付ける手段を意味する。好ましい吹き付け手段は、トリガー式スプレーである。本組成物は、吹き付けられると発泡する。発泡はユーザーにとって洗浄に関連した性質である。即ち、組成物により洗浄が実現されているということをユーザーに示すことができるよう、本発明の組成物が発泡することが好ましい。
【００１１】
本発明の組成物は、
ｉ）本組成物の重量に対して約５〜約１５重量％、好ましくは７〜１２重量％の界面活性剤系と、
ｉｉ）式Ｉのグリコールエーテル：Ｒ１Ｏ（Ｒ２Ｏ）ｎＲ３、式ＩＩのグリコールエーテル：Ｒ４Ｏ（Ｒ５Ｏ）ｎＲ６、及びこれらの混合物からなる群から選択されるグリコールエーテル溶媒と、
（式中、
Ｒ１は、直鎖若しくは分岐鎖のＣ４、Ｃ５、若しくはＣ６アルキル又は置換若しくは非置換フェニルであり、Ｒ２は、エチル又はイソプロピルであり、Ｒ３は、水素又はメチルであり、ｎは、１、２、又は３であり、
Ｒ４は、ｎ−プロピル又はイソプロピルであり、Ｒ５は、イソプロピルであり、Ｒ６は、水素又はメチルであり、ｎは１、２、又は３である）
ｉｉｉ）式（Ｉ）の環状ジアミンと、
【００１２】
【化１】
2018532854.tif 000002
（式中、Ｒのうちの２つは、ＮＨ２、（Ｃ１−Ｃ４）ＮＨ２、及びこれらの混合物からなる群から選択され、残りのＲは、独立して、Ｈ、１〜１０個の炭素原子を有する直鎖又は分枝鎖のアルキル又はアルケニルから選択される）を含む。
【００１３】
本発明のグリコールエーテルと環状ジアミンとの組み合わせを有する組成物は、改善された洗浄性を提供する。理論に束縛されるものではないが、グリコールエーテル溶媒が汚れの膨潤、並びに界面活性剤及び環状ジアミンの拡散を改善し、それにより、界面活性剤及び環状ジアミンの汚れへのアクセスが容易になり、洗浄性を改善すると考えられる。加えて、環状ジアミンは、重合油脂の分解を容易にし、界面活性剤及びグリコールエーテルが洗浄作業を行うのに寄与する。
【００１４】
好ましくは、界面活性剤系とグリコールエーテル溶媒とは、重量比が約５：１〜約１：１、好ましくは約３：１〜約１：１で存在する。界面活性剤系は洗浄及び発泡に寄与するとみなされるものである。一定のレベルの界面活性剤、特定の溶媒、及び界面活性剤：溶媒重量比により、消えやすい泡及び消えにくい泡が生じる。本発明の組成物を吹き付けた際に生じる泡は、洗浄対象の物品に接触した際の衝撃に耐えられる強度を有し、それでありながらすすぎやすい。
【００１５】
更に、本発明の組成物は洗浄性に優れる。即ち、調理された、焼けた、また焦げたような、落としにくい食物汚れの洗浄や、多少の油汚れの十分な洗浄が可能である。本発明の組成物は洗浄性に優れるのみならず、高度な迅速性や使用者によるこすり洗いの手間の削減を実現する。即ち、本発明の製品は、水道水を出しながらの食器洗浄に特に有用である。汚れが少ない食器に対しては、本発明の組成物は、少ないこすり洗い、又はこすり洗いなしで十分な洗浄が可能である。即ち、そのような食器は、単に組成物を吹き付けて、すすぐだけで洗浄可能である。場合により軽いふき取り動作を実行してもよい。
【００１６】
かなり汚れた食器であれば、本発明の製品は汚れの除去しやすくするための前処理に非常に有用である。通常の前処理として、汚れた食器を、製品原液に浸しておくことを含む。
【００１７】
上述の表界面活性剤系のレベルと、グリコールエーテル溶媒に対する界面活性剤の比を有する組成物によると、吹き付けた際、過剰な吹き付け量を最小限に抑えて、食器を十分に網羅することができ、無駄な使用量の増加やユーザーによる吸引を防止できる。
【００１８】
界面活性剤：溶媒重量比が１：１未満の組成物では、発泡不能であるように思われ、かつ／又は相分離が生じて製品の物理的安定性を創出する傾向にある。界面活性剤：溶媒重量比が５：１を超える組成物では、吹き付けが困難であり、本発明の製品が使用される際に典型的に存在する水量が低いと、油汚れに接触することでゲル状になりやすい。ゲル状になると、組成物が広がりにくく、洗浄性に悪影響を及ぼす。
【００１９】
好ましくは、本発明の組成物は、２０℃の蒸留水中１０％溶液中で測定される、８超、より好ましくは１０〜１２、最も好ましく１０．５〜１１．５のｐＨと、約０．１〜約１、より好ましくは約０．１〜約０．５の予備アルカリ度を有する。本明細書中、予備アルカリ度は、ｐＨ１０の製品を最終組成物のｐＨまで滴定するのに必要な、組成物１００ｍＬ当たりのＮａＯＨのグラムで表される。このｐＨと予備アルカリ度が、落としにくい食物汚れの洗浄性の更なる向上に寄与する。
【００２０】
アニオン性界面活性剤と補助界面活性剤を含む界面活性剤系を有する組成物は、洗浄性及び発泡性の観点から非常に良好であることが見出されている。それらは、吹き付けパターンの観点からも非常に良好であることが見出されている。本発明の組成物の界面活性剤系がアニオン性界面活性剤を含む場合、小液滴の存在（即ち吸引リスク）が最小限に抑えられる。本明細書において補助界面活性剤とは、主界面活性剤に比較して少量で組成物中に含まれる界面活性剤である。本明細書において主界面活性剤とは、組成物中に最も多く含まれる界面活性剤である。好ましくは、アニオン性界面活性剤は、サルフェート界面活性剤であり、より好ましくはアルキルエトキシレートサルフェート又は分岐状短鎖アルキルサルフェートである。約２〜約４、より好ましくは約３のエトキシル化度を有するアルキルエトキシル化サルフェートは、より低いエトキシル化度を有する他のアルキルサルフェート界面活性剤よりも、洗浄性及び洗浄の迅速性の点でより良好に機能する。
【００２１】
本明細書において、「分岐状短鎖アルキルサルフェート」は、直鎖アルキルサルフェート主鎖を有する界面活性剤を意味し、主鎖は、そのＣ１位、Ｃ２位、又はＣ３位で、好ましくはＣ２位で、１以上のＣ１〜Ｃ５、好ましくはＣ１〜Ｃ３アルキル分岐基に置換された、４〜８個、好ましくは５〜７個の炭素原子を含む。この種のアニオン性界面活性剤は、しつこい油汚れの洗浄や、良好な発泡性を実現することが確認されている。特に、組成物がアミンオキシド又はベタイン、好ましくはアミンオキシドを補助界面活性剤として有していれば、吹き付け後に即発泡が生じる。本明細書に用いるのに好ましい分岐短鎖アルキルサルフェートは、分岐ヘキシルサルフェートであり、より好ましくは２−エチルヘキシルサルフェートである。
【００２２】
好ましくは、補助界面活性剤は、ベタイン、アミンオキシド、及びこれらの混合物からなる群から選択される。アミンオキシドは、本明細書に用いるのに好ましい補助界面活性剤である。補助界面活性剤の製品の発泡に寄与し得る。アニオン性界面活性剤と補助界面活性剤を重量比約４：１〜約１：１、好ましくは約３：１〜約１：１、最も好ましくは約２：１〜約１：１で含むことで特に高性能の製品が得られる。アニオン性界面活性剤がアルコキシ化アルキルサルフェートを含む場合、好ましいアニオン性界面活性剤：補助界面活性剤重量比は、３：１〜２：１である。アニオン性界面活性剤が短鎖分岐状アルキルサルフェート界面活性剤を含む場合、好ましいアニオン性界面活性剤：補助界面活性剤重量比は、２：１〜１：１である。補助界面活性剤がアミンオキシドを含む組成物が特に好ましい。
【００２３】
あるいは、ベタイン、アミンオキシド、及びこれらの混合物からなる群から選択される主界面活性剤を含む組成物は、良好な性能をもたらすことが分かった。アミンオキシドは、本明細書に用いるのに好ましい主界面活性剤である。補助界面活性剤は、非イオン性界面活性剤、アニオン性界面活性剤、及びその混合物からなる群から選択される。主界面活性剤と、補助界面活性剤とが、約１０：１〜約４：１、好ましくは約８：１〜約３：１、最も好ましくは約７：１〜約２：１の重量比で存在する製品は特に高性能となる。組成物において、補助界面活性剤が非イオン性界面活性剤を含むことが特に好ましい。
【００２４】
非イオン性界面活性剤及び補助界面活性剤、好ましくは補助界面活性剤としてアニオン性界面活性剤とアミンオキシド界面活性剤との混合物を含む界面活性剤系を有する組成物は、洗浄性の観点から非常に良好であることが見出されている。それらは、吹き付けパターンの観点からも良好であることが見出されている。本発明の組成物の界面活性剤系がアニオン性界面活性剤を含む場合、小液滴の存在（即ち吸引リスク）が最小限に抑えられる。好ましくは、補助界面活性剤は、アニオン性、両性、双極性、及びこれらの混合物からなる群から選択される。本明細書に用いるのに好ましい補助界面活性剤は、アミンオキシド界面活性剤と直鎖アルキルベンゼンスルホネートとの混合物である。補助界面活性剤の製品の発泡に寄与し得る。特に高性能な製品は、非イオン性界面活性剤と、補助界面活性剤とが、約６：１〜約１：１の重量比、好ましくは約５：１〜約１：１の重量比、最も好ましくは約４：１〜約１．５：１の重量比で存在するものである。補助界面活性剤がアミンオキシド及び直鎖アルキルベンゼンスルホネートを含む組成物が特に好ましい。
【００２５】
本発明の組成物は、式Ｉのグリコールエーテル、式ＩＩのグリコールエーテル、及びこれらの混合物からなる群から選択されるグリコールエーテルを含む。このようなグリコールエーテルが、製品の洗浄速度だけでなく、特に油汚れに対する洗浄性能の向上に寄与することが確認されている。この効果は、式Ｉや式ＩＩとは異なる式で表されるグリコールエーテルでは実現されないようである。
【００２６】
本明細書に用いるのに好ましい環状ジアミンとしては、１，３−ビス（アミノメチル）シクロヘキサン（１，３−ＢＡＣ）、２−メチルシクロヘキサン−１，３−ジアミン、４−メチルシクロヘキサン−１，３−ジアミン、及びこれらの混合物が挙げられる。１，３−ＢＡＣ、２−メチルシクロヘキサン−１，３−ジアミン、４−メチルシクロヘキサン−１，３−ジアミン、及びこれらの混合物を含む組成物は、食器類からの非常に良好な油脂の除去をもたらし、食器類はすすぎ中にぬるぬるした感触にならない。２−メチルシクロヘキサン−１，３−ジアミン、４−メチルシクロヘキサン−１，３−ジアミン、及びこれらの混合物を含む組成物が特に好ましい。
【００２７】
好ましくは、本発明の組成物は、好ましくはアミノカルボン酸塩キレート剤、より好ましくはＧＬＤＡであるキレート剤を更に含む。アミノカルボン酸塩はキレート剤のみとして作用するのみならず、予備アルカリ度にも寄与する。これは、調理された、焼いた、また焦げ付いた汚れの洗浄に寄与するものと考えられる。好ましくは、本発明の組成物は、重炭酸塩（bicarbonate）及び／又はモノエタノール及び／又はカルボキシレートビルダーを含む。好ましくはクエン酸塩（citrate）ビルダーである。これは、アミノカルボン酸塩キレート剤同様、予備アルカリ度にも寄与する。
【００２８】
本発明の組成物は、ニュートン又は非ニュートン性であり得る。好ましくは、本組成物は、ずり減粘流体である。このことは、本組成物の吹き付けやすさの点で重要である。本発明の組成物には、流体が洗浄の際に垂直面にとどまりつつ、すすぎが容易になるような粘度が求められる。約１〜約１０ｍＰａ  ｓの高剪断（１０，０００ｓ−１）での開始粘度を有する組成物が特に好適である。好ましくは、本組成物は、本明細書で以下に定義する方法を用いて測定される、２０℃で約１０：１〜約１．５：１の低剪断（１００ｓ−１）粘度：高剪断（１０，０００ｓ−１）粘度の比を有するずり減粘組成物である。本発明の組成物は、好ましくはレオロジー調整剤を含み、より好ましくはキサンタンガムを含む。
【００２９】
好ましい組成物は、２０℃の蒸留水中１０％溶液中で測定される、１０〜１１．５のｐＨと、ｐＨ１０での組成物１００ｍＬ当たりのＮａＯＨのグラム数で表される、約０．１〜約０．３の予備アルカリ度と、を有し、本組成物は、
ｉ）本組成物の約４〜約１０重量％、好ましくは約５〜約８重量％のアルキルエトキシレートサルフェート、好ましくは約３の平均エトキシル化度を有するアルキルエトキシレートサルフェートと、
ｉｉ）本組成物の約１〜約５重量％のアミンオキシド界面活性剤と、
ｉｉｉ）本組成物の約３重量％〜約８重量％、好ましくは約４〜約７重量％のグリコールエーテル溶媒、好ましくはジプロピレングリコールｎ−ブチルエーテルと、
ｉｖ）本組成物の０．１重量％〜約２重量％、好ましくは約０．２〜約１重量％の環状ジアミンであって、好ましくは２−メチルシクロヘキサン−１，３−ジアミン、４−メチルシクロヘキサン−１，３−ジアミン、及びこれらの混合物からなる群から選択される、環状ジアミンと、を含む。
【００３０】
別の好ましい組成物は、２０℃の蒸留水中１０％溶液中で測定される、１０〜１１．５のｐＨと、ｐＨ１０での組成物１００ｍＬ当たりのＮａＯＨのグラム数で表される、０．１〜０．３の予備アルカリ度と、を有し、本組成物は、
ｉ）本組成物の約４〜約１０重量％、約５〜約８重量％の分岐状短鎖アルキルサルフェート、好ましくは２−エチルヘキシルサルフェートと、
ｉｉ）本組成物の約１〜５重量％のアミンオキシド界面活性剤と、
ｉｉｉ）本組成物の約３重量％〜８重量％、好ましくは約４〜約７重量％のグリコールエーテル溶媒、好ましくはジプロピレングリコールｎ−ブチルエーテルと、
ｉｖ）本組成物の約０．１重量％〜約２重量％、好ましくは約０．２〜約１重量％の環状ジアミンであって、好ましくは２−メチルシクロヘキサン−１，３−ジアミン、４−メチルシクロヘキサン−１，３−ジアミン、及びこれらの混合物からなる群から選択される、環状ジアミンと、を含む。
【００３１】
本発明の第２の態様に従って、上記請求項のいずれか一項に記載の製品を使用して汚れた食器を洗浄する方法であって、
ａ）任意選択的に、汚れた食器を予め湿らす工程と、
ｂ）本洗浄組成物を汚れた食器上に吹き付ける工程と、
ｃ）任意選択的に、ある期間にわたって、水を汚れた食器に加える工程と、
ｄ）任意選択的に、食器をこすり洗いする工程と、
ｅ）食器をすすぐ工程と、を含む、方法が提供される。
【００３２】
本発明の方法により、特に軽く汚れている食器のような食器が、水道水を流しっ放しの状態で、より早く、より簡潔に洗浄可能となる。調理された、焼いた、又は焦げ付いた汚れのような、落ちにくい食物汚れの付いた食器に対して、本発明の方法では、本発明の製品を原液で、又は水に溶かし使用して汚れた食器を事前に湿らせることで、洗浄しやすくなる。
【発明を実施するための形態】
【００３３】
本発明は、洗浄製品に関し、好ましくは手洗い用食器洗浄製品に関する。本製品は、スプレーディスペンサ及び洗浄組成物を有する。洗浄組成物は、界面活性剤系、特定のグリコールエーテル溶媒、及び特定の環状ジアミンを含む。本発明の製品は、洗浄作業、特に手洗いでの洗浄作業をより簡単に、より早く行うことができるようにすることで、作業性を向上する。本発明の製品は、食器の手洗いに特に好適に用いられる。
【００３４】
本発明において、「食器」は、調理器具と食器の両方を含む。
【００３５】
洗浄組成物
本洗剤組成物は、手洗い用食器洗浄組成物であり、好ましくは液状である。
【００３６】
本組成物のｐＨは、２０℃の蒸留水中１０％濃度で測定される、好ましくは８超であり、より好ましくは約１０〜約１２であり、最も好ましくは約１０．５〜約１１．５である。本組成物は、本明細書の以下に詳述されるように測定される、好ましくは約０．１〜約１であり、より好ましくは約０．１〜約０．５の予備アルカリ度を有する。
【００３７】
予備アルカリ度は、ｐＨ１０の試験組成物のｐＨが試験組成物ｐＨになるまで滴定するために必要な、組成物１００ｇ中のＮａＯＨのグラム数として定義される。溶液の予備アルカリ度は、次のようにして決定される。
【００３８】
Ａｇ／ＡｇＣｌ電極（例えば、ＯｒｉｏｎＳｕｒｅ−Ｆｌｏｗ電極モデル９１７２ＢＮ）付きのｐＨ計（例えば、Ｏｒｉｏｎモデル７２０Ａ）を、標準化されたｐＨ７及びｐＨ１０のｐＨ緩衝剤を用いて較正する。２０℃の蒸留水における１０％溶液１００ｇの試験組成物を用意する。１０％溶液のｐＨを測定し、次に、標準化された０．１ＮのＨＣＬ溶液を用いて、１００ｇ溶液がｐＨ１０になるまで滴定する。必要な０．１ＮのＨＣＬ溶液の容積はｍＬ単位で記録する。以下のとおり予備アルカリ度を計算する。
予備アルカリ度＝０．１ＮのＨＣＬの容積（ｍＬ）×０．１（等量／Ｌ）×ＮａＯＨの等量重量（ｇ／等量）×１０
【００３９】
界面活性剤系
洗浄組成物は、組成物の約５重量％〜約１５重量％、好ましくは約６重量％〜約１４重量％、より好ましくは約７重量％〜約１２重量％の界面活性剤系を含む。界面活性剤系は、好ましくはアニオン性界面活性剤、より好ましくはサルフェート界面活性剤を含む。界面活性剤系は、両性界面活性剤、双極性イオン界面活性剤、及びこれらの混合物からなる群から選択される補助界面活性剤を含むことが好ましい。界面活性剤系は、場合により、非イオン性界面活性剤を含んでもよい。
【００４０】
アルキルサルフェート、特にアルキルエトキシサルフェートが本明細書に用いるのに好ましく、約２〜約５の平均エトキシル化度を有するアルキルエトキシサルフェートがより好ましく、約３の平均エトキシル化度を有するアルキルエトキシサルフェートが最も好ましい。分岐状短鎖アルキルサルフェート界面活性剤も本明細書に用いるのに好ましい。
【００４１】
本発明の組成物は、好ましくは、両性及び／又は双極性界面活性剤を含み、好ましくは、両性界面活性剤はアミンオキシドを含み、双極性界面活性剤はベタイン界面活性剤を含む。
【００４２】
好ましくは、本発明の組成物は、アニオン性界面活性剤と補助界面活性剤とを重量比約４：１〜約１：１、好ましくは３：１〜１：１、より好ましくは２．８：１〜１．３：１の重量比で含む。
【００４３】
本発明の洗剤組成物に最も好ましい界面活性剤系は、（１）組成物の４重量％〜１０重量％、好ましくは５重量％〜８重量％のアニオン性界面活性剤、好ましくはアルキルアルコキシサルフェート界面活性剤又は分岐状短鎖アルキルサルフェート、（２）組成物の１重量％〜５重量％、好ましくは１重量％〜４重量％の、両性界面活性剤、双極性界面活性剤、及びこれらの混合物からなる群から選択される界面活性剤、好ましくはアミンオキシド界面活性剤を含む。このような界面活性剤系と、本発明のグリコールエーテル及び環状ジアミンを組み合わせることで、優れた洗浄性及び良好な発泡性が提供されることが分かった。
【００４４】
アニオン性界面活性剤
アニオン性界面活性剤としては、その分子構造中に一般に８〜２２個の炭素原子又は一般に８〜１８個の炭素原子を含む有機疎水基と、水溶性化合物を形成するための、好ましくはスルホネート、サルフェート、及びカルボキシレートから選択される少なくとも１つの水可溶化基と、を含有する、界面活性化合物が挙げられるが、これらに限定されない。通常、疎水性基は、直鎖又は分岐鎖のＣ８〜Ｃ２２アルキル、又はアシル基を含むこととなる。このような界面活性剤は水溶性塩の形態で使用され、塩形成カチオンは、通常、ナトリウム、カリウム、アンモニウム、マグネシウム、及びモノ、ジ又はトリ−アルカノールアンモニウムから選択され、通常選択されるカチオンはナトリウムである。
【００４５】
好ましくは、アニオン性界面活性剤はサルフェート界面活性剤である。サルフェート界面活性剤は、好ましくはアルキルエトキシサルフェートであり、約２〜約５の平均エトキシル化度を有するアルキルエトキシサルフェートがより好ましく、約３の平均エトキシル化度を有するアルキルエトキシサルフェートが最も好ましい。別の好ましいサルフェート界面活性剤としては、分岐状短鎖アルキルサルフェート、特に２−エチルヘキシルサルフェートが挙げられる。
【００４６】
サルフェートアニオン性界面活性剤
好ましいサルフェートアニオン性界面活性剤は、アルコキシ化されたものであり、より好ましくは約２〜約５の平均アルコキシ化度、最も好ましくは約３の平均アルコキシ化度を有するアルコキシ化サルフェートアニオン性界面活性剤である。好ましくは、アルコキシ基は、エトキシである。サルフェートアニオン性界面活性剤がサルフェートアニオン性界面活性剤の混合物であるとき、アルコキシ化度は混合物のすべての組成物の重量平均アルコキシ化度（重量平均アルコキシ化度）である。重量平均アルコキシ化度の計算において、アルコキシ化された基を有さない硫酸化アニオン性界面活性剤組成物の重量も含める必要がある。
重量平均アルコキシ化度＝（ｘ１＊界面活性剤１のアルコキシ化度＋ｘ２＊界面活性剤２のアルコキシ化度＋．．．）／（ｘ１＋ｘ２＋．．．）
式中、ｘ１、ｘ２は、混合物の各サルフェートアニオン性界面活性剤のグラム単位の重量であり、アルコキシ化度は、各サルフェートアニオン性界面活性剤のアルコキシ基の数である。
【００４７】
分岐状の界面活性剤の場合、分岐基はアルキルであることが好ましい。典型的には、アルキルは、メチル、エチル、プロピル、ブチル、ペンチル、環状アルキル基及びこれらの混合物から選択される。単一又は複数のアルキル分岐基は、本発明の洗剤で使用するサルフェートアニオン性界面活性剤を生成するために用いる、出発アルコール（複数を含む）のヒドロカルビル主鎖に存在することができる。
【００４８】
分岐状サルフェートアニオン性界面活性剤は、単一のアニオン性界面活性剤又はアニオン性界面活性剤の混合物であり得る。単一の界面活性剤の場合、分岐の割合は、界面活性剤が誘導される元のアルコールにおいて分岐しているヒドロカルビル鎖の重量％を指す。
【００４９】
界面活性剤混合物の場合、分岐の割合は重量平均であり、以下の式に従って定義される。
分岐の重量平均（％）＝［（ｘ１＊アルコール１中の分岐アルコール１の重量％＋ｘ２＊アルコール２中の分岐アルコール２の重量％＋．．．）／（ｘ１＋ｘ２＋．．．）］＊１００
式中、ｘ１、ｘ２は、本発明の洗剤のアニオン性界面活性剤のための出発原料として使用したアルコールの全アルコール混合物中の各アルコールのグラム単位の重量である。重量平均分岐化度の計算において、分岐基を有さないアニオン性界面活性剤組成物の重量も含める必要がある。
【００５０】
界面活性剤系が分岐状アニオン性界面活性剤を含む場合、界面活性剤系はその少なくとも５０重量％、より好ましくは少なくとも６０重量％、好ましくは少なくとも７０重量％の分岐状アニオン性界面活性剤を含み、より好ましくは、分岐状アニオン性界面活性剤は、その５０重量％超のアルキルエトキシル化サルフェートを含み、アルキルエトキシル化サルフェートは、約２〜約５のエトキシル化度及び好ましくは約５％〜約４０％の分岐率を有する。
【００５１】
本明細書に用いるのに好適なサルフェート界面活性剤としては、Ｃ８〜Ｃ１８アルキルの水溶性塩、好ましくはＣ１２〜Ｃ１４アルキル、ヒドロキシアルキル、サルフェート、及び／又はエーテルサルフェートの５０重量％超のＣ８〜Ｃ１８アルキルを含むＣ８〜Ｃ１８アルキルを含む。好適な対イオンとしては、アルカリ金属カチオン、アルカリ土類金属カチオン、アルカノールアンモニウム、アンモニウム又は置換アンモニウムが挙げられるが、ナトリウムが好ましい。
【００５２】
サルフェート界面活性剤は、Ｃ８〜Ｃ１８のアルキルアルコキシサルフェート（ＡＥｘＳ）から選択することができ、好ましくは、ｘは１〜３０であり、アルコキシ基は、エトキシ、プロポキシ、ブトキシ、又は更なる高級アルコキシ基及びこれらの混合物から選択されることができる。本明細書に用いるのに特に好ましいのは、約２〜約５の平均エトキシル化度、好ましくは約３の平均エトキシル化度を有するＣ１２〜Ｃ１４のアルキルエトキシサルフェートである。
【００５３】
アルキルアルコキシサルフェートは、様々な鎖長、エトキシル化度及び分岐度のものが市販されている。市販品として入手可能なサルフェートとしては、Ｓｈｅｌｌ社製のＮｅｏｄｏｌアルコール、Ｓａｓｏｌ社製のＬｉａｌ−Ｉｓａｌｃｈｅｍ及びＳａｆｏｌ、Ｐｒｏｃｔｅｒ  ＆  Ｇａｍｂｌｅ  Ｃｈｅｍｉｃａｌｓ社製の天然アルコールをベースにしたものが挙げられる。
【００５４】
アニオン性界面活性剤が分岐状であれば、その少なくとも５０重量％、より好ましくは少なくとも６０重量％、特に少なくとも７０重量％のサルフェート界面活性剤を含むことが好ましい。洗浄の点から特に好ましいのは、分岐状アニオン性界面活性剤がその５０重量％超、より好ましくは少なくとも６０重量％、特に少なくとも７０重量％のサルフェート界面活性剤を含んでおり、このサルフェート界面活性剤がアルキルサルフェート、アルキルエトキシサルフェート及びこれらの混合物からなる群から選択される分岐状界面活性剤である。分岐状アニオン性界面活性剤が約２〜約５の平均エトキシル化度、より好ましくは約３の平均エトキシル化度を有するものが更により好ましく、アニオン性界面活性剤が約１０％〜約３５％、より好ましくは約２０％〜約３０％の平均分岐度を有することが更により好ましい。
【００５５】
直鎖アルキルアルコキシレートサルフェート界面活性剤は、本発明の組成物での使用に有用である。
【００５６】
分岐状短鎖アルキルサルフェート界面活性剤
この種のアニオン性界面活性剤は、しつこい油汚れに対する洗浄を実現することが確認されている。更に、アミンオキシド又はベタイン、特にアミンオキシド界面活性剤と組み合わせると優良な発泡性を示す。具体的には吹き付け直後の発泡が実現される。
【００５７】
本発明の分岐状短鎖アルキルサルフェート界面活性剤は、直鎖アルキルサルフェート主鎖のＣ１位、Ｃ２位、又はＣ３位で１以上のＣ１〜Ｃ５アルキル分岐基に置換された、４〜８個の炭素原子を含む直鎖アルキルサルフェート主鎖を有する。分岐状短鎖アルキルサルフェート界面活性剤内の硫酸基は、上記Ｃ４〜Ｃ８直鎖主鎖に末端位置で直接結合されている。
【００５８】
好ましくは、直鎖アルキルサルフェート主鎖は、５〜７個の炭素原子を含む。好ましくは、１以上のアルキル分岐基は、メチル、エチル、プロピル、又はイソプロピルから選択される。好ましくは、分岐状短鎖アルキルサルフェート界面活性剤は、その直鎖主鎖上に置換された分岐基を１つのみ有する。好ましくは、アルキル分岐基は、直鎖アルキルサルフェート主鎖のＣ２位に置かれる。
【００５９】
より好ましくは、本発明の分岐状短鎖アルキルサルフェートは、直鎖アルキルサルフェート主鎖のＣ２位でメチル、エチル、プロピルから選択される１つのアルキル分岐基に置換された、５〜７個の炭素を含む直鎖アルキル主鎖を有する。最も好ましくは、分岐状短鎖アルキルサルフェート界面活性剤は、２−エチルヘキシルサルフェートである。
【００６０】
本発明の組成物は、調整された分岐状短鎖アルキルサルフェート界面活性剤の対応する非サルフェート化分岐状短鎖アルコール供給材料の一部を更に含む場合もある。
【００６１】
好適な分岐状短鎖アルキルサルフェート界面活性剤としては、１−メチルブチルサルフェート、１−エチルブチルサルフェート、１−プロピルブチルサルフェート、１−イソプロピルブチルサルフェート１−メチルペンチルサルフェート、１−エチルペンチルサルフェート、１−プロピルペンチルサルフェート、１−イソプロピルペンチルサルフェート１−ブチルペンチルサルフェート、１−メチルヘキシルサルフェート、１−エチルヘキシルサルフェート、１−プロピルヘキシルサルフェート、１−イソプロピルサルフェート１−ブチルヘキシルサルフェート、１−ペンチルヘキシルサルフェート、１−メチルヘプチルサルフェート、１−エチルヘプチルサルフェート、１−プロピルヘプチルサルフェート、１−イソプロピルヘプチルサルフェート、１−ブチルヘプチルサルフェート、１−ペンチルヘプチルサルフェート、１−ヘキシルヘプチルサルフェート、１−メチルオクチルサルフェート、１−エチルオクチルサルフェート、１−プロピルオクチルサルフェート、１−イソプロピルオクチルサルフェート、１−ブチルオクチルサルフェート、１−ペンチルオクチルサルフェート、１−ヘキシルオクチルサルフェート、１−ヘプチルオクチルサルフェート、２−メチルブチルサルフェート、２−エチルブチルサルフェート、２−プロピルブチルサルフェート、２−イソプロピルブチルサルフェート２−メチルペンチルサルフェート、２−エチルペンチルサルフェート、２−プロピルペンチルサルフェート、２−イソプロピルペンチルサルフェート、２−ブチルペンチルサルフェート、２−メチルヘキシルサルフェート、２−エチルヘキシルサルフェート、２−プロピルヘキシルサルフェート、２−イソプロピルヘキシルサルフェート、２−ブチルヘキシルサルフェート、２−ペンチルヘキシルサルフェート、２−メチルヘプチルサルフェート、２−エチルヘプチルサルフェート、２−プロピルヘプチルサルフェート、２−イソプロピルヘプチルサルフェート、２−ブチルヘプチルサルフェート、２−ペンチルヘプチルサルフェート、２−ヘキシルヘプチルサルフェート、２−メチルオクチルサルフェート、２−エチルオクチルサルフェート、２−プロピルオクチルサルフェート、２−イソプロピルオクチルサルフェート、２−ブチルオクチルサルフェート、２−ペンチルオクチルサルフェート、２−ヘキシルオクチルサルフェート、２−ヘプチルオクチルサルフェート、３−メチルブチルサルフェート、３−エチルブチルサルフェート、３−プロピルブチルサルフェート、３−イソプロピルブチルサルフェート、３−メチルペンチルサルフェート、３−エチルペンチルサルフェート、３−プロピルペンチルサルフェート、３−イソプロピルペンチルサルフェート、３−ブチルペンチルサルフェート、３−メチルヘキシルサルフェート、３−エチルヘキシルサルフェート、３−プロピルヘキシルサルフェート、３−イソプロピルヘキシルサルフェート、３−ブチルヘキシルサルフェート、３−ペンチルヘキシルサルフェート、３−メチルヘプチルサルフェート、３−エチルヘプチルサルフェート、３−プロピルヘプチルサルフェート、３−イソプロピルヘプチルサルフェート、３−ブチルヘプチルサルフェート、３−ペンチルヘプチルサルフェート、３−ヘキシルヘプチルサルフェート、３−メチルオクチルサルフェート、３−エチルオクチルサルフェート、３−プロピルオクチルサルフェート、３−イソプロピルオクチルサルフェート、３−ブチルオクチルサルフェート、３−ペンチルオクチルサルフェート、３−ヘキシルオクチルサルフェート、３−ヘプチルオクチルサルフェート、及びこれらの混合物が挙げられる。
【００６２】
より好ましくは、分岐状短鎖アルキルサルフェート界面活性剤は、１−メチルペンチルサルフェート、１−エチルペンチルサルフェート、１−プロピルペンチルサルフェート、１−ブチルペンチルサルフェート、１−メチルヘキシルサルフェート、１−エチルヘキシルサルフェート、１−プロピルヘキシルサルフェート、１−ブチルヘキシルサルフェート、１−ペンチルヘキシルサルフェート、１−メチルヘプチルサルフェート、１−エチルヘプチルサルフェート、１−プロピルヘプチルサルフェート、１−ブチルヘプチルサルフェート、１−ペンチルヘプチルサルフェート、１−ヘキシルヘプチルサルフェート、２−メチルペンチルサルフェート、２−エチルペンチルサルフェート、２−プロピルペンチルサルフェート、２−ブチルペンチルサルフェート、２−メチルヘキシルサルフェート、２−エチルヘキシルサルフェート、２−プロピルヘキシルサルフェート、２−ブチルヘキシルサルフェート、２−ペンチルヘキシルサルフェート、２−メチルヘプチルサルフェート、２−エチルヘプチルサルフェート、２−プロピルヘプチルサルフェート、２−ブチルヘプチルサルフェート、２−ペンチルヘプチルサルフェート、２−ヘキシルヘプチルサルフェート、３−メチルペンチルサルフェート、３−エチルペンチルサルフェート、３−プロピルペンチルサルフェート、３−ブチルペンチルサルフェート、３−メチルヘキシルサルフェート、３−エチルヘキシルサルフェート、３−プロピルヘキシルサルフェート、３−ブチルヘキシルサルフェート、３−ペンチルヘキシルサルフェート、３−メチルヘプチルサルフェート、３−エチルヘプチルサルフェート、３−プロピルヘプチルサルフェート、３−ブチルヘプチルサルフェート、３−ペンチルヘプチルサルフェート、３−ヘキシルヘプチルサルフェート、及びこれらの混合物から選択される。
【００６３】
更により好ましくは、分岐状短鎖アルキルサルフェート界面活性剤は、２−メチルペンチルサルフェート、２−エチルペンチルサルフェート、２−プロピルペンチルサルフェート、２−ブチルペンチルサルフェート、２−メチルヘキシルサルフェート、２−エチルヘキシルサルフェート、２−プロピルヘキシルサルフェート、２−ブチルヘキシルサルフェート、２−ペンチルヘキシルサルフェート、２−メチルヘプチルサルフェート、２−エチルヘプチルサルフェート、２−プロピルヘプチルサルフェート、２−ブチルヘプチルサルフェート、２−ペンチルヘプチルサルフェート、２−ヘキシルヘプチルサルフェート、及びこれらの混合物から選択される。
【００６４】
更により好ましくは、分岐状短鎖アルキルサルフェート界面活性剤は、２−メチルペンチルサルフェート、２−エチルペンチルサルフェート、２−プロピルペンチルサルフェート、２−メチルヘキシルサルフェート、２−エチルヘキシルサルフェート、２−プロピルヘキシルサルフェート、２−メチルヘプチルサルフェート、２−エチルヘプチルサルフェート、２−プロピルヘプチルサルフェート、及びこれらの混合物から選択される。
【００６５】
最も好ましい分岐状短鎖アルキルサルフェート界面活性剤は２−エチルヘキシルサルフェートである。この化合物は、Ｅｎａｓｐｏｌ社の製品名Ｓｙｎｔａｐｏｎ  ＥＨや、Ｈｕｎｔｓｍａｎ社のＥｍｐｉｃｏｌ  ０５８５Ｕとして市販されている。
【００６６】
分岐状短鎖アルキルサルフェート界面活性剤は、組成物に対して約３重量％〜約１０重量％、好ましくは約４重量％〜約８重量％となるよう調製される。
【００６７】
分岐状短鎖アルキルサルフェート界面活性剤は、界面活性剤組成物全体に対して約５０重量％〜約１００重量％、好ましくは約５５重量％〜約７５重量％となるよう調製される。
【００６８】
両性界面活性剤
好ましくは、両性界面活性剤はアミンオキシドである。好ましいアミンオキシドは、アルキルジメチルアミンオキシド又はアルキルアミドプロピルジメチルアミンオキシド、より好ましくはアルキルジメチルアミンオキシド、及び特にココジメチルアミンオキシドである。アミンオキシドは、直鎖又は中鎖分岐状アルキル基を有し得る。典型的な直鎖アミンオキシドとしては、Ｃ８〜１８アルキル部分である１つのＲ１と、Ｃ１〜３アルキル基及びＣ１〜３ヒドロキシアルキル基からなる群から選択される２つのＲ２及びＲ３部分と、を含有する水溶性アミンオキシドが挙げられる。好ましくは、アミンオキシドは、式Ｒ１−Ｎ（Ｒ２）（Ｒ３）Ｏ（式中、Ｒ１は、Ｃ８〜１８アルキルであり、Ｒ２及びＲ３は、メチル、エチル、プロピル、イソプロピル、２−ヒドロキシエチル、２−ヒドロキシプロピル、及び３−ヒドロキシプロピルからなる群から選択される）により特徴付けられる。直鎖アミンオキシド系界面活性剤としては、具体的には、直鎖のＣ１０〜Ｃ１８アルキルジメチルアミンオキシド及び直鎖のＣ８〜Ｃ１２アルコキシエチルジヒドロキシエチルアミンオキシドを挙げることができる。好ましいアミンオキシドとしては、直鎖のＣ１０、直鎖のＣ１０〜Ｃ１２、及び直鎖のＣ１２〜Ｃ１４アルキルジメチルアミンオキシドが挙げられる。本明細書で使用するとき、「中鎖分岐状（mid-branched）」とは、アミンオキシドが、炭素原子ｎ１個を有する１つのアルキル部分を有し、このアルキル部分上の１つのアルキル分岐が炭素原子ｎ２個を有することを意味する。アルキル分岐は、アルキル部分の窒素のα炭素に位置する。アミンオキシドにおけるこのタイプの分岐は、当該技術分野において、内部アミンオキシドとしても知られている。ｎ１とｎ２の合計は、１０〜２４個の炭素原子、好ましくは１２〜２０個、より好ましくは１０〜１６個である。１つのアルキル部分と１つのアルキル分岐とが対称となるように、１つのアルキル部分の炭素原子数（ｎ１）は、１つのアルキル分岐の炭素原子数（ｎ２）とおよそ同じであるべきである。本明細書で使用するとき、「対称」は、本明細書に用いる中鎖分岐状アミンオキシドの少なくとも５０重量％、より好ましくは少なくとも７５重量％〜１００重量％が、｜ｎ１−ｎ２｜が５以下、好ましくは４、最も好ましくは０〜４の炭素原子であることを意味する。
【００６９】
アミンオキシドは、更に、独立して、Ｃ１〜３アルキル；Ｃ１〜３ヒドロキシアルキル基；又は平均して約１〜約３個のエチレンオキシド基を含有するポリエチレンオキシド基から選択される２つの部分を含む。好ましくは、２つの部分は、Ｃ１〜３アルキルから選択され、より好ましくは、両方にＣ１アルキルが選択される。
【００７０】
双性イオン性界面活性剤
他の好適な界面活性剤としては、好ましくはアルキルベタイン、アルキルアミドベタイン、アミダゾリニウムベタイン、スルホベタイン（ＩＮＣＩスルタイン）並びにホスホベタインなどのベタインのような双性イオン性界面活性剤が挙げられ、好ましくは次の式（Ｉ）に合致する。
Ｒ１−［ＣＯ−Ｘ（ＣＨ２）ｎ］ｘ−Ｎ＋（Ｒ２）（Ｒ３）−（ＣＨ２）ｍ−［ＣＨ（ＯＨ）−ＣＨ２］ｙ−Ｙ−
（Ｉ）
式中、
Ｒ１は、飽和又は不飽和Ｃ６〜２２アルキル残基であり、好ましくはＣ８〜１８アルキル残基、特に飽和Ｃ１０〜１６アルキル残基、例えば、飽和Ｃ１２〜１４アルキル残基であり、
Ｘは、ＮＨ、ＮＲ４（Ｃ１〜４アルキル残基Ｒ４を有する）、Ｏ、又はＳであり、
ｎは、１〜１０の数、好ましくは２〜５、特に３であり、
ｘは、０又は１、好ましくは１であり、
Ｒ２、Ｒ３は独立して、ヒドロキシエチル、好ましくはメチルなどの、ヒドロキシ置換される可能性のあるＣ１〜４アルキル残基であり、
ｍは、１〜４の数、特に１、２又は３であり、
ｙは、０又は１であり、
Ｙは、ＣＯＯ、ＳＯ３、ＯＰＯ（ＯＲ５）Ｏ又はＰ（Ｏ）（ＯＲ５）Ｏであり、Ｒ５は、水素原子Ｈ又はＣ１〜４アルキル残基である。
【００７１】
好ましいベタインは、式（Ｉａ）のアルキルベタイン、式（Ｉｂ）のアルキルアミドプロピルベタイン、式（Ｉｃ）のスルホベタイン、及び式（Ｉｄ）のアミドスルホベタインであり、
Ｒ１−Ｎ＋（ＣＨ３）２−ＣＨ２ＣＯＯ−      （Ｉａ）
Ｒ１−ＣＯ−ＮＨ（ＣＨ２）３−Ｎ＋（ＣＨ３）２−ＣＨ２ＣＯＯ−      （Ｉｂ）
Ｒ１−Ｎ＋（ＣＨ３）２−ＣＨ２ＣＨ（ＯＨ）ＣＨ２ＳＯ３−      （Ｉｃ）
Ｒ１−ＣＯ−ＮＨ−（ＣＨ２）３−Ｎ＋（ＣＨ３）２−ＣＨ２ＣＨ（ＯＨ）ＣＨ２ＳＯ３−（Ｉｄ）、式中、Ｒ１１は、式Ｉと同じ意味である。特に好ましいベタインは、カルボベタイン［式中、Ｙ−＝ＣＯＯ−］であり、特に式（Ｉａ）及び（Ｉｂ）のカルボベタインであり、式（Ｉｂ）のアルキルアミドベタインが最も好ましい。
【００７２】
好適なベタイン及びスルホベタインの例は、アーモンドアミドプロピルベタイン、アプリコットアミドプロピルベタイン、アボカドアミドプロピルベタイン、ババスアミドプロピルベタイン、ベヘナミドプロピルベタイン、ベヘニルベタイン、ベタイン、キャノーラミドプロピルベタイン、カプリル／カプラミドプロピルベタイン、カルニチン、セチルベタイン、コカミドエチルベタイン、コカミドプロピルベタイン、コカミドプロピルヒドロキシスルタイン、ココベタイン、ココヒドロキシスルタイン、ココ／オレアミドプロピルベタイン、ココスルタイン、デシルベタイン、ジヒドロキシエチルオレイルグリシネート、ジヒドロキシエチル大豆グリシネート、ジヒドロキシエチルステアリルグリシネート、ジヒドロキシエチルタローグリシネート、ＰＧ−ベタインのプロピルジメチコーン、エルカミドプロピルヒドロキシスルタイン、水素添加タローベタイン、イソステアラミドプロピルベタイン、ラウラミドプロピルベタイン、ラウリルベタイン、ラウリルヒドロキシスルタイン、ラウリルスルタイン、ミルクアミドプロピルベタイン、ミンクアミドプロピルベタイン、ミリスタミドプロピルベタイン、ミリスチルベタイン、オレアミドプロピルベタイン、オレアミドプロピルヒドロキシスルタイン、オレイルベタイン、オリーブアミドプロピルベタイン、ヤシアミドプロピルベタイン、パルミタミドプロピルベタイン、パルミトイルカルニチン、ヤシ仁アミドプロピルベタイン、ポリテトラフルオロエチレンアセトキシプロピルベタイン、リシノール酸アミドプロピルベタイン、セサミドプロピルベタイン、ソイアミドプロピルベタイン、ステアラミドプロピルベタイン、ステアリルベタイン、タローアミドプロピルベタイン、タローアミドプロピルヒドロキシスルタイン、タローベタイン、タロージヒドロキシエチルベタイン、ウンデシレンアミドプロピルベタイン、及び小麦胚芽アミドプロピルベタインである［ＩＮＣＩに従って表記］。
【００７３】
例えば、好ましいベタインはココアミドプロピルベタインである。
【００７４】
非イオン性界面活性剤
存在する場合、非イオン性界面活性剤は、組成物の０．１重量％〜１０重量％、好ましくは０．２重量％〜８重量％、最も好ましくは０．５重量％〜６重量％の典型量で含まれる。好適な非イオン性界面活性剤としては、脂肪族アルコールと１〜２５モルのエチレンオキシドとの縮合生成物が挙げられる。脂肪族アルコールのアルキル鎖は、直鎖又は分岐鎖、第１級又は第２級でよく、一般的に８〜２２個の炭素原子を含有する。特に好ましいのは、１０〜１８個の炭素原子、好ましくは１０〜１５個の炭素原子を含有するアルキル基を有するアルコールと、アルコール１モル当たり２〜１８モル、好ましくは２〜１５モル、より好ましくは５〜１２モルのエチレンオキシドとの縮合生成物である。極めて好ましい非イオン性界面活性剤は、ゲルベアルコールと、アルコール１モル当たり２〜１８モル、好ましくは２〜１５モル、より好ましくは５〜１２モルのエチレンオキシドとの縮合生成物である。
【００７５】
本明細書に用いるのに好適な他の非イオン性界面活性剤には、脂肪アルコールポリグリコールエーテル、アルキルポリグルコシド、及び脂肪酸グルカミドが挙げられる。
【００７６】
グリコールエーテル溶媒
本発明の組成物は、式Ｉのグリコールエーテル又は式ＩＩのグリコールエーテルから選択されるグリコールエーテル溶媒を含む。
式Ｉ＝Ｒ１Ｏ（Ｒ２Ｏ）ｎＲ３
式中、
Ｒ１は直鎖又は分岐Ｃ４、Ｃ５又はＣ６アルキル、置換又は非置換フェニル、好ましくはｎ−ブチルであり（ベンジルが、本明細書に用いる置換フェニルのうちの１つである）、
Ｒ２は、エチル又はイソプロピル、好ましくはイソプロピルであり、
Ｒ３は、水素又はメチル、好ましくは水素であり、
ｎは、１、２、又は３、好ましくは１又は２である。
式ＩＩ＝Ｒ４Ｏ（Ｒ５Ｏ）ｎＲ６
式中、
Ｒ４は、ｎ−プロピル又はイソプロピル、好ましくはｎ−プロピルであり、
Ｒ５は、イソプロピルであり、
Ｒ６は、水素又はメチル、好ましくは水素であり、
ｎは、１、２、又は３、好ましくは１又は２である。
【００７７】
式Ｉによる好適なグリコールエーテル溶媒としては、エチレングリコールｎ−ブチルエーテル、ジエチレングリコールｎ−ブチルエーテル、トリエチレングリコールｎ−ブチルエーテル、プロピレングリコールｎ−ブチルエーテル、ジプロピレングリコールｎ−ブチルエーテル、トリプロピレングリコールｎ−ブチルエーテル、エチレングリコールｎ−ペンチルエーテル、ジエチレングリコールｎ−ペンチルエーテル、トリエチレングリコールｎ−ペンチルエーテル、プロピレングリコールｎ−ペンチルエーテル、ジプロピレングリコールｎ−ペンチルエーテル、トリプロピレングリコールｎ−ペンチルエーテル、エチレングリコールｎ−ヘキシルエーテル、ジエチレングリコールｎ−ヘキシルエーテル、トリエチレングリコールｎ−ヘキシルエーテル、プロピレングリコールｎ−ヘキシルエーテル、ジプロピレングリコールｎ−ヘキシルエーテル、トリプロピレングリコールｎ−ヘキシルエーテル、エチレングリコールフェニルエーテル、ジエチレングリコールフェニルエーテル、トリエチレングリコールフェニルエーテル、プロピレングリコールフェニルエーテル、ジプロピレングリコールフェニルエーテル、トリプロピレングリコールフェニルエーテル、エチレングリコールベンジルエーテル、ジエチレングリコールベンジルエーテル、トリエチレングリコールベンジルエーテル、プロピレングリコールベンジルエーテル、ジプロピレングリコールベンジルエーテル、トリプロピレングリコールベンジルエーテル、エチレングリコールイソブチルエーテル、ジエチレングリコールイソブチルエーテル、トリエチレングリコールイソブチルエーテル、プロピレングリコールイソブチルエーテル、ジプロピレングリコールイソブチルエーテル、トリプロピレングリコールイソブチルエーテル、エチレングリコールイソペンチルエーテル、ジエチレングリコールイソペンチルエーテル、トリエチレングリコールイソペンチルエーテル、プロピレングリコールイソペンチルエーテル、ジプロピレングリコールイソペンチルエーテル、トリプロピレングリコールイソペンチルエーテル、エチレングリコールイソヘキシルエーテル、ジエチレングリコールイソヘキシルエーテル、トリエチレングリコールイソヘキシルエーテル、プロピレングリコールイソヘキシルエーテル、ジプロピレングリコールイソヘキシルエーテル、トリプロピレングリコールイソヘキシルエーテル、エチレングリコールｎ−ブチルメチルエーテル、ジエチレングリコールｎ−ブチルメチルエーテルトリエチレングリコールｎ−ブチルメチルエーテル、プロピレングリコールｎ−ブチルメチルエーテル、ジプロピレングリコールｎ−ブチルメチルエーテル、トリプロピレングリコールｎ−ブチルメチルエーテル、エチレングリコールｎ−ペンチルメチルエーテル、ジエチレングリコールｎ−ペンチルメチルエーテル、トリエチレングリコールｎ−ペンチルメチルエーテル、プロピレングリコールｎ−ペンチルメチルエーテル、ジプロピレングリコールｎ−ペンチルメチルエーテル、トリプロピレングリコールｎ−ペンチルメチルエーテル、エチレングリコールｎ−ヘキシルメチルエーテル、ジエチレングリコールｎ−ヘキシルメチルエーテル、トリエチレングリコールｎ−ヘキシルメチルエーテル、プロピレングリコールｎ−ヘキシルメチルエーテル、ジプロピレングリコールｎ−ヘキシルメチルエーテル、トリプロピレングリコールｎ−ヘキシルメチルエーテル、エチレングリコールフェニルメチルエーテル、ジエチレングリコールフェニルメチルエーテル、トリエチレングリコールフェニルメチルエーテル、プロピレングリコールフェニルメチルエーテル、ジプロピレングリコールフェニルメチルエーテル、トリプロピレングリコールフェニルメチルエーテル、エチレングリコールベンジルメチルエーテル、ジエチレングリコールベンジルメチルエーテル、トリエチレングリコールベンジルメチルエーテル、プロピレングリコールベンジルメチルエーテル、ジプロピレングリコールベンジルメチルエーテル、トリプロピレングリコールベンジルメチルエーテル、エチレングリコールイソブチルメチルエーテル、ジエチレングリコールイソブチルメチルエーテル、トリエチレングリコールイソブチルメチルエーテル、プロピレングリコールイソブチルメチルエーテル、ジプロピレングリコールイソブチルメチルエーテル、トリプロピレングリコールイソブチルメチルエーテル、エチレングリコールイソペンチルメチルエーテル、ジエチレングリコールイソペンチルメチルエーテル、トリエチレングリコールイソペンチルメチルエーテル、プロピレングリコールイソペンチルメチルエーテル、ジプロピレングリコールイソペンチルメチルエーテル、トリプロピレングリコールイソペンチルメチルエーテル、エチレングリコールイソヘキシルメチルエーテル、ジエチレングリコールイソヘキシルメチルエーテル、トリエチレングリコールイソヘキシルメチルエーテル、プロピレングリコールイソヘキシルメチルエーテル、ジプロピレングリコールイソヘキシルメチルエーテル、トリプロピレングリコールイソヘキシルメチルエーテル、及びこれらの混合物が挙げられる。
【００７８】
式Ｉによる好ましいグリコールエーテル溶媒は、エチレングリコールｎ−ブチルエーテル、ジエチレングリコールｎ−ブチルエーテル、トリエチレングリコールｎ−ブチルエーテル、プロピレングリコールｎ−ブチルエーテル、ジプロピレングリコールｎ−ブチルエーテル、トリプロピレングリコールｎ−ブチルエーテル、及びこれらの混合物である。
【００７９】
式Ｉによる最も好ましいグリコールエーテルは、プロピレングリコールｎ−ブチルエーテル、ジプロピレングリコールｎ−ブチルエーテル、及びこれらの混合物である。
【００８０】
式ＩＩによる好適なグリコールエーテル溶媒としては、プロピレングリコールｎ−プロピルエーテル、ジプロピレングリコールｎ−プロピルエーテル、トリプロピレングリコールｎ−プロピルエーテル、プロピレングリコールイソプロピルエーテル、ジプロピレングリコールイソプロピルエーテル、トリプロピレングリコールイソプロピルエーテル、プロピレングリコールｎ−プロピルメチルエーテル、ジプロピレングリコールｎ−プロピルメチルエーテル、トリプロピレングリコールｎ−プロピルメチルエーテル、プロピレングリコールイソプロピルメチルエーテル、ジプロピレングリコールイソプロピルメチルエーテル、トリプロピレングリコールイソプロピルメチルエーテル、及びこれらの混合物が挙げられる。
【００８１】
式ＩＩによる好ましいグリコールエーテル溶媒は、プロピレングリコールｎ−プロピルエーテル、ジプロピレングリコールｎ−プロピルエーテル、及びこれらの混合物である。
【００８２】
最も好ましいグリコールエーテル溶媒は、プロピレングリコールｎ−ブチルエーテル、ジプロピレングリコールｎ−ブチルエーテル、及びこれらの混合物、特にジプロピレングリコールｎ−ブチルエーテルである。
【００８３】
好適なグリコールエーテル溶媒は、Ｔｈｅ  Ｄｏｗ  Ｃｈｅｍｉｃａｌ  Ｃｏｍｐａｎｙ社から購入可能であり、特にＥシリーズ（エチレングリコール系）グリコールエーテル及びＰシリーズ（プロピレングリコール系）グリコールエーテル製品が挙げられる。好適なグリコールエーテル溶媒としては、ブチルカルビトール、ヘキシルカルビトール、ブチルセロソルブ、ヘキシルセロソルブ、ブトキシトリグリコール、Ｄｏｗａｎｏｌ  Ｅｐｈ、Ｄｏｗａｎｏｌ  ＰｎＰ、Ｄｏｗａｎｏｌ  ＤＰｎＰ、Ｄｏｗａｎｏｌ  ＰｎＢ、Ｄｏｗａｎｏｌ  ＤＰｎＢ、Ｄｏｗａｎｏｌ  ＴＰｎＢ、Ｄｏｗａｎｏｌ  ＰＰｈ、及びこれらの混合物が挙げられる。
【００８４】
本発明の製品のグリコールエーテルは、泡立ちを良くすることができる。
【００８５】
グリコールエーテル溶媒は、組成物の約１重量％〜約１０重量％、好ましくは約２重量％〜約８重量％、最も好ましくは約３重量％〜約７重量％で存在する。
【００８６】
環状ジアミン
本発明の組成物は、好ましくは、組成物の約０．１重量％〜約１０重量％、より好ましくは約０．２重量％〜約５重量％、特に約０．３重量％〜約２重量％の、式（Ｉ）の環状ジアミンを含む。
【００８７】
本明細書における用語「環状ジアミン」は、単一の洗浄用アミン及びこれらの混合物を包含する。アミンは、アミンが使用される洗浄媒体のｐＨに応じてプロトン化され得る。
【００８８】
式（Ｉ）の環状ジアミン：
【００８９】
【化２】
2018532854.tif 000003
置換基Ｒ（Ｒ１〜Ｒ６、Ｒ１’〜Ｒ６’）のうちの２つは、ＮＨ２、（Ｃ１−Ｃ４）ＮＨ２、及びこれらの混合物からなる群から独立して選択され、残りの置換基Ｒは、Ｈ、１〜１０個の炭素原子を有する直鎖又は分枝鎖のアルキル又はアルケニルから独立して選択される。
【００９０】
式（Ｉ）のアミンは、２つの一級アミン官能基を有する環状アミンである。一級アミンは、環内の任意の位に存在してもよいが、油脂洗浄性の観点から、一級アミンが１位、３位に存在する場合、良好な性能が得られることが見出されている。油脂洗浄性の観点から、置換基のうち１つが−ＣＨ３であり、残りがＨであるアミンが有利であることもまた見出されている。
【００９１】
本明細書に用いるのに好ましい環状ジアミンは、
【００９２】
【化３】
2018532854.tif 000004
及びこれらの混合物からなる群から選択される。
【００９３】
１，３−ビス（メチルアミン）−シクロヘキサン、２−メチルシクロヘキサン−１，３−ジアミン、４−メチルシクロヘキサン−１，３−ジアミン、及びこれらの混合物からなる群から選択される環状ジアミンが、本明細書に用いるのに特に好ましい。１，３−ビス（メチルアミン）−シクロヘキサンは、本明細書に用いるのに特に好ましい。２−メチルシクロヘキサン−１，３−ジアミン、４−メチルシクロヘキサン−１，３−ジアミンの混合物もまた、本明細書に用いるのに好ましい。
【００９４】
キレート剤
場合により本明細書の組成物は、キレート剤を組成物の総量の０．１重量％〜１０重量％、好ましくは０．２重量％〜５重量％、より好ましくは０．２重量％〜３重量％、最も好ましくは０．５重量％〜１．５重量％の濃度で更に含んでもよい。
【００９５】
好適なキレート剤は、アミノカルボキシレート、アミノホスホネート、多官能置換された芳香族キレート剤、及びこれらの混合物からなる群から選択することができる。
【００９６】
アミノカルボキシレートには、エチレンジアミンテトラ−アセテート、Ｎ−ヒドロキシエチルエチレンジアミントリアセテート、ニトリロ−トリアセテート、エチレンジアミンテトラプロプリオネート、トリエチレンテトラアミンヘキサアセテート、ジエチレントリアミンペンタアセテート、及びエタノールジグリシン、及びアルカリ金属、アンモニウム、その置換アンモニウム塩、及びこれらの混合物、更にＭＧＤＡ（メチルグリシン二酢酸）、その塩及び誘導体、及びＧＬＤＡ（グルタミン酸−Ｎ，Ｎ−二酢酸）、その塩及び誘導体が含まれる。ＧＬＤＡ（その塩及び誘導体）は、本発明によれば特に好ましく、そのテトラナトリウム塩が特に好ましい。
【００９７】
ビルダー
本明細書の組成物は、ビルダー、好ましくはカルボン酸ビルダーを含んでもよい。本明細書で有用なカルボン酸塩としては、Ｃ１〜６の直鎖酸塩、又は少なくとも３個の炭素を含有する環状の酸塩が挙げられる。カルボン酸又はその塩の、直鎖若しくは環状の炭素含有鎖は、水酸基、エステル基、エーテル基、１〜６個の、より好ましくは１〜４個の炭素原子を有する脂肪族基、及びこれらの混合物からなる群から選択される置換基で、置換されてもよい。
【００９８】
好ましいカルボン酸塩は、サリチル酸、マレイン酸、アセチルサリチル酸、３−メチルサリチル酸、４−ヒドロキシイソフタル酸、ジヒドロキシフマル酸、１，２，４ベンゼントリカルボン酸、ペンタン酸、クエン酸、及びこれらの混合物からなる群からの塩から選択され、好ましくはクエン酸が用いられる。
【００９９】
本発明の組成物での使用に好適な他のカルボン酸ビルダーとして、パーム核由来の脂肪酸、ヤシ由来の脂肪酸等の脂肪酸の塩や、ポリカルボン酸塩が挙げられる。
【０１００】
その塩のカチオンは、好ましくは、アルカリ金属、アルカリ土類金属、モノエタノールアミン、ジエタノールアミン、又はトリエタノールアミン、並びにこれらの混合物から選択され、好ましくはナトリウムである。
【０１０１】
カルボン酸又はその塩が存在する場合、その濃度は好ましくは組成物全体の０．１重量％〜５重量％、より好ましくは０．２重量％〜１重量％、となる。
【０１０２】
ずり減粘レオロジー調整剤
本発明による組成物は、本製品にずり減粘レオロジー特性を提供するレオロジー調整剤を更に含んでもよい。好ましくは、レオロジー調整剤は、非結晶質ポリマーレオロジー調整剤である。ポリマーレオロジー調整剤は合成されたものあっても、自然由来のポリマーであってもよい。
【０１０３】
本発明において使用される天然由来のポリマー構造化剤の例としては、ヒドロキシエチルセルロース、疎水修飾ヒドロキシエチルセルロース、カルボキシメチルセルロース、多糖誘導体、及びこれらの混合物が挙げられる。多糖誘導体としては、ペクチン、アルギン酸塩、アラビノガラクタン（アラビアゴム）、カラギーナン、カラヤゴム、トラガカントガム、ジェランガム、キサンタンガム、及びグアーガムが挙げられるが、これらに限定されない。本発明において使用される合成ポリマー構造化剤の例としては、ポリカルボン酸塩、ポリアクリル酸塩、ポリウレタン、ポリビニルピロリドン、ポリオール、及びこれらの誘導体やこれらの混合物を含むポリマー及びコポリマーが挙げられる。
【０１０４】
本発明による組成物は、好ましくは天然由来のレオロジー調整剤ポリマーを含み、最も好ましくはキサンタンガムを含む。
【０１０５】
一般的に、レオロジー調整ポリマーは、組成物の０．００１重量％〜１重量％、あるいは０．０１重量％〜０．５重量％、更には０．０５重量％〜０．２５重量％の濃度で含まれる。
【０１０６】
更なる任意成分
ここでの組成物は、多数の任意成分を含んでもよい。これらの成分としては、好ましくは塩化ナトリウムである無機塩、Ｃ２〜Ｃ４アルコール、Ｃ２〜Ｃ４ポリオール、ポリアルキレングリコール、ヒドロトロープ、及びこれらの混合物から選択される、レオロジー調整剤を含んでもよい。組成物は、水酸化ナトリウム、塩化水素、モノエタノールアミンを含むアルカノールアミン、及び重炭酸無機塩等のｐＨ調整及び／又は緩衝剤も含み得る。組成物は、保存剤、ＵＶ安定剤、抗酸化剤、芳香剤、着色剤、及びこれらの混合物から選択される更なる少量成分を更に含んでもよい。
【０１０７】
粘度
製品の流動曲線を、レオメーター（ＴＡインスツルメント製。型番ＤＨＲ１）、ペルチェ同心円筒温度測定システム（ＴＡインスツルメント製）、二重ギャップカップとローター（ＴＡインスツルメント製）を使用して測定した。流動曲線処理は、調整工程と、２０℃でのフローランピング工程とを含む。調整工程は、１０ｓ−１の剪断速度での３０秒間の前剪断工程と、その後の１２０秒間の剪断を行わない平衡時間とを含む。フローランピング工程は、３００秒間で対数剪断速度を０．００１ｓ−１から１００００ｓ−１まで上昇させることを含む。データフィルターを、使用器具の推奨される、２０μＮｍ（最小トルク値）に設定する。
【０１０８】
「低剪断粘度」とは、剪断速度１００ｓ−１で測定された粘度を意味する。「高剪断粘度」とは、剪断速度１００００ｓ−１で測定された粘度を意味する。
【０１０９】
スプレーディスペンサ
スプレーディスペンサは、本発明の組成物を収容する筐体と、吹き付け手段とを有する。適切なスプレーディスペンサとしては、ハンドポンプ（「トリガー式」とも称する）装置、加圧缶装置、静電スプレー装置等が挙げられる。好ましくは、スプレーディスペンサは非加圧で、吹き付け手段はトリガー式分注型であることが好ましい。
【実施例】
【０１１０】
重合油脂洗浄試験
１／３小麦胚芽、１／３ヒマワリ油、１／３ピーナッツオイル、供給元：ＶＡＮＤＥＭＯＯＲＴＥＬＥ  Ｂｅｌｇｉｕｍ）の７５重量％の植物性食用油のブレンド、２５重量％の鶏卵からのアルブミン粉末（供給元：Ｗｈｉｔｅ，Ｇｒａｄｅ  ＩＩ−ＳＩＧＭＡ）、及び０．０５重量％のオイルレッド染料（Ｌｕｍｏｇｅｎ  Ｆ  Ｒｏｔ  ３０５−供給元：ＢＡＳＦ）を含む汚れ組成物を、室温で個々の構成成分を均質に混合することにより調製した。新しいタイルを、以下に記載されるようにそれらを汚し、それらを１３５℃で２時間の間焼き、そのため、最初にＤｒｅｆｔ  Ｏｒｉｇｉｎａｌ（Ｂｅｌｇｉｕｍ）食器用液体洗剤、続いてエタノールでの洗浄ステップによりそれらを洗浄することによって、最初に前処理した。重合油脂洗浄評価にタイルを使用する前に、この前処理プロセスを４回繰り返した。重合油脂洗浄性能を評価するために、０．６〜０．７ｇのこの汚れ組成物を、合成スポンジから作製したペイントローラー（長さ７ｃｍ×直径６ｃｍ）で、８＊２５ｃｍのステンレス鋼タイル（グレードはＡＩＳＩ  ３０４である、供給元：Ｌａｓｅｒｔｅｋ，Ｂｅｌｇｉｕｍ）に均質に適用した。１３５℃に設定したオーブンで、汚れたタイルを２時間４５分焼き、続いて７０％の相対湿度及び２５℃で２４時間冷却した。タイルを、４つの洗浄トラック及び４つのスポンジホルダ直列シーンマシンテスタ（Ｗｅｔ  Ａｂｒａｓｉｏｎ  Ｓｃｒｕｂ  Ｔｅｓｔｅｒ  Ｒｅｆ．９０３ＰＧ／ＳＡ／Ｂ  −供給元：Ｓｈｅｅｎ  Ｉｎｓｔｒｕｍｅｎｔｓ  Ｌｉｍｉｔｅｄ）に設置した。１．２ｍｌの組成物を、試験製品にわたって同じ種類のトリガースプレーを使用して汚れたタイルに吹き付け、洗浄される領域に向けて、組成物をタイルに直接適用した。セルローススポンジ（Ａｒｔｉｋｅｌ  Ｎｒ．３３１００２００  Ｍａｔｅｒｉａｌｎｕｍｍｅｒ  Ｚ  １４７００００  Ｚｕｓｃｈｎｉｔｔ  Ｓｃｈｗａｍｍ，ｆｅｉｎｐｏｒｉｇ  ９０ｘ４０ｘ４０−供給元：ＭＡＰＡ  ＧｍｂＨ−Ｂｅｒｅｉｃｈ  ＳＰＯＮＴＥＸ  Ｉｎｄｕｓｔｒｉｅ  Ｇｅｒｍａｎｙ）を脱塩水（２０℃）で予め濡らし、水がもはやスポンジから流れ出なくなるまで絞った（スポンジ重量：２１ｇ＋／−１ｇ）。洗浄装置のスポンジホルダに合う寸法に、供給者によりスポンジが切断された（９ｃｍ  ＊  ４ｃｍ）。使用前に３回、洗剤なしで新しいスポンジを洗浄機で煮沸洗浄した。通常の実験室条件下（２０℃、４０％ｒＨ）で、シーンマシンのスポンジホルダ上の４つのスポンジを、それぞれの洗剤製品が適用された領域にわたって汚れたタイルの上に設置した。２００ｇの重りをスポンジの上に設置し、シーンマシンを２０サイクル／分の動作速度に設定した。汚れたタイルを洗浄するのに必要とされるストロークの数を計数し（エンドポイント＝視覚的評価）、８つの複製の試験結果（内部複製２つ＊外部複製４つ、すなわち、４つのタイル、各製品が１つのタイルに対して２回試験された）を平均し、油脂洗浄指数対参照製品（油脂洗浄指数試験製品＝（＃ストローク試験製品／＃ストローク参照製品）＊１００）として報告された。低油脂洗浄指数は、改善された油脂洗浄有効性を表す。試験製品は、外部複製間で異なるスポンジスロットに変え���れた。
【０１１１】
試験製品及び試験結果：
本発明による環状ジアミン技術（Ｂａｘｘｏｄｕｒ  ＥＣＸ２１０  ｅｘ  ＢＡＳＦ）を用いた、又は用いない、及び本発明によるグリコールエーテル溶媒（Ｄｏｗａｎｏｌ  ＤＰｎＢ  Ｇｌｙｃｏｌ  Ｅｔｈｅｒ  ｅｘ  Ｄｏｗ）を用いた、又は用いないスプレー組成物の重合油脂洗浄性能が、本明細書に記載される試験方法に従い試験された。試験結果は、重合油脂洗浄の影響が、環状ジアミン配合物を加えないグリコールエーテル溶媒を配合したときと比較して（洗浄指数７７）、環状ジアミン含有配合物に加えてグリコールエーテル溶媒を配合したとき、およそ２．５倍有効である（洗浄指数３０）ことを示した。
【０１１２】
【表１】
2018532854.tif 000005
Ｄｏｗａｎｏｌ  ＤＰｎＢグリコールエーテル：ジ−プロピレングリコールｎ−ブチルグリコールエーテル、Ｄｏｗから入手可能。
Ｂａｘｘｏｄｕｒ  ＥＣＸ２１０：４−メチルシクロヘキサン−１，３−ジアミン及び２−メチルシクロヘキサン−１，３−ジアミンの混合物、ＢＡＳＦから入手可能。
【０１１３】
本明細書に開示される寸法及び値は、記載された正確な数値に厳密に限定されるものと理解されるべきではない。むしろ、特に指示がない限り、そのような各寸法は、記載された値及びその値を囲む機能的に同等の範囲の両方を意味するものとする。例えば、「４０ｍｍ」として開示した寸法は「約４０ｍｍ」を意味することを意図したものである。
【国際調査報告】
2018532854.tif 000007
2018532854.tif 000008
2018532854.tif 000009